(57)【特許請求の範囲】
【請求項１】
手術工程と、回収工程と、洗浄工程と、組立工程と、滅菌工程と、保管工程とから構成される手術サイクルにおいて、複数の手術器具を備えた手術器具セットの情報に確認すべき作業内容を示すアイコンが予め関連付けられた手術器具セットを管理する手術器具セット管理システムであって、
手術器具セットの情報および前記手術器具セットの情報に関連付けられたアイコンを記憶する記憶部と、
前記手術器具セットの情報および前記手術器具セットの情報に関連付けられた前記アイコンを表示する表示画面と、
前記手術器具セットの情報および前記手術器具セットの情報に関連付けられた前記アイコンを前記表示画面に表示させる第１表示部と、
前記アイコンに示された各作業内容が確認されたことが作業者によって入力される入力部と、
前記入力部によって入力された内容を前記表示画面に表示させる第２表示部と、
作業者の情報を取得する作業者情報取得部と、
現在の工程を実施する作業者と前記現在の工程より一つ前の工程を実施した作業者とが同じか否かを判定する第１判定部と、
を備え、
前記第１判定部によって作業者が同じであると判定された場合、前記第１表示部は前記手術器具セットの情報および前記手術器具セットの情報に関連付けられた前記アイコンを前記表示画面に表示させない、手術器具セット管理システム。
【請求項２】
前記手術器具セットの情報に関連付けられた前記アイコンの全てについて、前記入力部によって確認されたことが入力されているか否かを判定する第２判定部をさらに備え、
前記全てのアイコンについて確認されたことが入力されていると前記第２判定部によって判定された場合、前記入力部は、全ての作業内容を完了したことを作業者によって入力可能となるように構成されている、請求項１に記載の手術器具セット管理システム。
【請求項３】
前記手術器具セットの前記各手術器具には、前記手術器具セットの情報が関連付けられた識別手段がそれぞれ設けられ、
前記識別手段の情報を取得する情報取得装置を備え、
前記第１表示部は、前記情報取得装置によって前記識別手段の情報が取得されると、前記手術器具セットの情報および前記手術器具セットの情報に関連付けられた前記アイコンを前記表示画面に表示させる、請求項１または２に記載の手術器具セット管理システム。
【請求項４】
前記手術器具セットの情報に関連付けられた前記アイコンを編集するアイコン編集部をさらに備えている、請求項１から３のいずれか一項に記載の手術器具セット管理システム。
【請求項５】
前記入力部は、前記表示画面に配置されたタッチパネルである、請求項１から４のいずれか一項に記載の手術器具セット管理システム。
【請求項６】
前記アイコンは、前記手術器具セットに含まれる前記手術器具の数を確認するという作業内容を示す点数確認アイコンを含む、請求項１から５のいずれか一項に記載の手術器具セット管理システム。
【請求項７】
前記アイコンは、前記手術器具セットにインジケータが封入されていることを確認するという作業内容を示すインジケータ確認アイコンを含む、請求項１から６のいずれか一項に記載の手術器具セット管理システム。
【請求項８】
前記アイコンは、前記手術器具が袋詰めされていることを確認するという作業内容を示す袋詰め確認アイコンを含む、請求項１から７のいずれか一項に記載の手術器具セット管理システム。
【請求項９】
前記アイコンは、前記手術器具セットを所定のケースに収容し、前記ケースの開閉部分に滅菌テープを張り付け、前記滅菌テープに作業者の名前を記入するという作業内容を示す名称記入アイコンを含む、請求項１から８のいずれか一項に記載の手術器具セット管理システム。
【請求項１０】
前記アイコンは、前記ケースの開閉を阻止する封印手段を前記ケースに取り付けるという作業内容を示す封印手段取付アイコンを含む、請求項９に記載の手術器具セット管理システム。
【発明の詳細な説明】
【技術分野】
【０００１】
本発明は、手術器具セット管理システムに関する。
【背景技術】
【０００２】
従来から、病院において手術が行われるとき、複数の手術器具を１セットとした手術器具セットを複数用いている。手術器具セットは、病院内において、次に示す各工程からなる循環サイクルをセット単位で循環している。
【０００３】
即ち、循環サイクルは、保管された手術器具セットを用いて患者の手術を行う手術工程と、手術で用いた手術器具セットを回収する回収工程と、回収された手術器具セットを洗浄する洗浄工程と、洗浄された手術器具セットを組み立てる組立工程と、組み立てられた手術器具セットを滅菌する滅菌工程と、滅菌された手術器具セットを保管する保管工程とから構成されている。手術器具セットを組み立てるとは、洗浄工程においてバラバラに洗浄された各手術器具を所定の手術器具セットに戻すことである。
【０００４】
ここで、手術器具セットは、手術内容や手術器具セットを用いる医師によって異なり、その種類は非常に多い。さらには、手術器具セットに含まれる手術器具の数も多種多様である。
【発明の概要】
【発明が解決しようとする課題】
【０００５】
上記の循環サイクルにおいて、工程によっては工程での作業を実施する前に作業内容を確認した上で、手術器具単体の確認と手術器具セットの確認とが行われている。しかし、これらの確認は並行して行われるため、確認作業が複雑かつ煩雑であった。
【０００６】
本発明はかかる点に鑑みてなされたものであり、その目的は、作業内容の確認を容易化して作業者の負担を軽減すると共に、確認作業の質の向上を実現することができる手術器具セット管理システムを提供することである。
【課題を解決するための手段】
【０００７】
本発明者は、確認時の作業内容をアイコン化し、アイコンと手術器具セットとを関連付けることで、確認作業時の負担を軽減できることを考えた。また、現在の工程を実施する作業者と現在の工程より一つ前の工程を実施した作業者を強制的に異ならせることによって、確認作業の質の向上を実現することを考えた。
【０００８】
本発明に係る手術器具セット管理システムは、手術工程と、回収工程と、洗浄工程と、組立工程と、滅菌工程と、保管工程とから構成される手術サイクルにおいて、複数の手術器具を備えた手術器具セットの情報に確認すべき作業内容を示すアイコンが予め関連付けられた手術器具セットを管理する手術器具セット管理システムであって、手術器具セットの情報および前記手術器具セットの情報に関連付けられたアイコンを記憶する記憶部と、前記手術器具セットの情報および前記手術器具セットの情報に関連付けられた前記アイコンを表示する表示画面と、前記手術器具セットの情報および前記手術器具セットの情報に関連付けられた前記アイコンを前記表示画面に表示させる第１表示部と、前記アイコンに示された各作業内容が確認されたことが作業者によって入力される入力部と、前記入力部によって入力された内容を前記表示画面に表示させる第２表示部と、作業者の情報を取得する作業者情報取得部と、現在の工程を実施する作業者と前記現在の工程より一つ前の工程を実施した作業者とが同じか否かを判定する第１判定部と、を備え、前記第１判定部によって作業者が同じであると判定された場合、前記第１表示部は前記手術器具セットの情報および前記手術器具セットの情報に関連付けられた前記アイコンを前記表示画面に表示させない。
【０００９】
本発明の手術器具セット管理システムによると、循環サイクルの各工程における作業内容をアイコン化し、アイコンが表示画面に表示されるため、初心者にも作業内容が容易に理解できる。また、アイコン化された作業内容が各手術器具セットに予め関連付けられているため、各工程における作業内容が作業者によってばらつくことが防止される。さらに、作業内容が確認されたことが表示画面に表示されるため、作業内容のチェック漏れを低減することができると共に、他の作業者も進捗状況を確認できる。また、第１判定部によって現在の工程を実施する作業者と現在の工程より一つ前の工程を実施した作業者とが同じであると判定された場合、第１表示部は手術器具セットの情報および手術器具セットの情報に関連付けられたアイコンを表示画面に表示させない。このため、現在の工程を実施する作業者と現在の工程より一つ前の工程を実施した作業者とを異ならせる必要が生じ、異なる作業者によるダブルチェックが実現できる。この結果、確認作業の質の向上が図られる。
【発明の効果】
【００１０】
本発明によれば、作業内容の確認を容易化して作業者の負担を軽減すると共に、確認作業の質の向上を実現することができる手術器具セット管理システムを提供することができる。
【図面の簡単な説明】
【００１１】
【図１】一実施形態に係る手術器具セット管理システムを示す概略図である。
【図２】一実施形態に係る手術器具セット管理システムが用いられる循環サイクルの説明図である。
【図３】一実施形態に係るサーバーの構成を示すブロック図である。
【図４】一実施形態に係る携帯端末の模式図である。
【図５】一実施形態に係る携帯端末の構成を示すブロック図である。
【図６】一実施形態に係る表示画面に検索画面が表示された状態を示す説明図である。
【図７】一実施形態に係る表示画面に一覧画面が表示された状態を示す説明図である。
【図８】一実施形態に係る表示画面に情報表示画面が表示された状態を示す説明図である。
【図９】一実施形態に係る表示画面に情報表示画面が表示された状態を示す説明図である。
【図１０】一実施形態に係る表示画面に情報表示画面が表示された状態を示す説明図である。
【図１１】他の一実施形態に係る表示画面に情報表示画面が表示された状態を示す説明図である。
【図１２】他の一実施形態に係る表示画面に情報表示画面が表示された状態を示す説明図である。
【発明を実施するための形態】
【００１２】
以下、図面を参照しながら、本発明の一実施形態に係る手術器具セット管理システムについて説明する。手術器具セット管理システムは、複数の手術器具を備えた手術器具セットの情報に確認すべき作業内容を示すアイコンが予め関連付けられた手術器具セットを管理する。本明細書において「アイコン」とは、コンピュータに与える指示・命令等をわかりやすく記号化した図形や絵文字を指す。図１に示すように、手術器具セット管理システム１０は、複数の携帯端末２０と、サーバー４０と、ネットワーク６０とを備えている。サーバー４０は、ネットワーク６０を介して携帯端末２０にサービスを提供するコンピュータである。サーバー４０は、ネットワーク６０を介して複数の携帯端末２０と通信可能に構成されている。サーバー４０と携帯端末２０とは無線により通信可能に構成されている。携帯端末２０としては、例えば、ノート型のパーソナルコンピュータ、タブレット端末およびスマートフォン等が挙げられる。ネットワーク６０としては、特に限定されないが、インターネットやローカルエリアネットワーク（ＬＡＮ）等が挙げられる。
【００１３】
図２は、手術器具セット管理システム１０が用いられる循環サイクル７０の説明図である。図２に示すように、循環サイクル７０は、手術工程７１と、回収工程７２と、洗浄工程７３と、組立工程７４と、滅菌工程７５と、保管工程７６とから構成されている。循環サイクル７０では、手術工程７１、回収工程７２、洗浄工程７３、組立工程７４、滅菌工程７５、保管工程７６、手術工程７１の順に手術器具セット８０（図１参照）が循環する。手術工程７１では、保管された手術器具セット８０を用いて患者の手術を行う。回収工程７２では、手術で用いた手術器具セット８０を回収する。洗浄工程７３では、回収された手術器具セット８０を洗浄する。組立工程７４では、洗浄された手術器具セット８０を組み立てる。組立工程７４では、洗浄工程７３においてバラバラに洗浄された各手術器具８２（図１参照）を所定の手術器具セット８０に戻す。滅菌工程７５では、組み立てられた手術器具セット８０を滅菌する。保管工程７６では、滅菌された手術器具セット８０を所定の保管スペースに保管する。手術器具セット管理システム１０は、上記循環サイクル７０を構成する６つの工程の少なくとも１つの工程で用いられる。
【００１４】
図１に示すように、手術器具セット８０は、複数の手術器具８２を含む。手術器具セット８０は、手術の内容や使用する医者によって異なり、多種多様である。ここで、手術器具セット８０に含まれる手術器具８２としては、例えば、鉗子、剪刃、メス、メスホルダー、カニューレ、鑷子、開創器、スケール、ゾンデ、エレバ、ラスパ、吸引管、開胸器、閉胸器、持針器、注射器、金属ボール、膿盆、コップ、ピン、ミラー、やすり、開口器、クレンメ、ハンドピース、エレパトリューム、ノミ、鋭匙、剥離子、鏡、縫合針、スタンツェ、受水器、針、圧子、ブジー、通気管、骨片打ち込み棒、リウエル、ラジオペンチ、ハンマー、角度計、穿孔器、スポイト、金属綿棒、浣腸器、シリンジ等が挙げられる。なお、上記例は手術器具８２の一部を列挙したものに過ぎず、手術器具８２は上記例に限定されるものではない。手術器具セット８０の各手術器具８２には、識別手段８４が設けられている。識別手段８４には、その手術器具８２を備える手術器具セット８０の情報が関連付けられている。即ち、一つの手術器具セット８０において、各手術器具８２の識別手段８４に関連付けられた手術器具セット８０の情報は相互に同じである。
【００１５】
図１に示すように、手術器具セット管理システム１０は、情報取得装置８５を備えている。情報取得装置８５は、手術器具８２の識別手段８４の情報を取得する。情報取得装置８５は、識別手段８４の情報をサーバー４０に送信する。情報取得装置８５としては、例えば、ＩＣタグリーダが挙げられ、識別手段８４としては、例えば、ＩＣタグが挙げられる。ＩＣタグリーダはＩＣタグと無線通信を行う。
【００１６】
図３に示すように、サーバー４０は、記憶部４２と、第１送受信部４４と、作業者情報取得部４８と、変更記録部５０と、第１判定部５２と、アイコン編集部５６と、を備えている。
【００１７】
記憶部４２は、複数の手術器具８２（図１参照）を備える手術器具セット８０（図１参照）の情報を記憶する。記憶部４２は、確認すべき作業内容を示すアイコン９０（図４参照）を記憶する。記憶部４２は、手術器具セット８０の情報にどのアイコン９０が関連付けられているのかを記憶する。アイコン９０および手術器具セット８０の情報は、記憶部４２に予め記憶されている。記憶部４２は、例えばハードディスクやメモリ等により実現可能である。手術器具セット８０の情報には、例えば、手術器具セット８０を表示する写真８０Ａ（図４参照）と、手術器具セット８０の基本情報と、手術器具セット８０に関するメモ書きとが含まれる。手術器具セット８０の基本情報には、例えば、手術器具セット８０がどの診療科に属するかを示す情報、手術器具セット８０の名称を示す情報、手術器具セット８０に含まれる手術器具８２の数を示す情報、手術器具セット８０を収容する容器を示す情報、および、手術器具セット８０の滅菌方法を示す情報等が含まれる。
【００１８】
アイコン９０は、一目で作業内容が理解できるような図柄で表現されている。図４に示すように、アイコン９０には、例えば、点数確認アイコン９０Ａと、インジケータ確認アイコン９０Ｂと、名称記入アイコン９０Ｃと、封印手段取付アイコン９０Ｄとが含まれる。点数確認アイコン９０Ａは、手術器具セット８０（図１参照）に含まれる手術器具８２（図１参照）の数を確認するという作業内容を示す。インジケータ確認アイコン９０Ｂは、手術器具セット８０にインジケータ９２（図４参照）が封入されていることを確認するという作業内容を示す。ここで、インジケータ９２とは、滅菌処理が十分に行われると色が変わり、滅菌処理が不十分であると色が変わらないものを意味し、滅菌処理が実施されたかを確認するために用いられる。名称記入アイコン９０Ｃは、手術器具セット８０を所定のケースに収容し、ケースの開閉部分に滅菌テープを張り付け、滅菌テープに作業者の名前を記入するという作業内容を示す。ここで、滅菌テープとは、滅菌処理が行われるとテープの表面に模様が形成されるものであり、滅菌処理が実施されたかを確認するために用いられる。封印手段取付アイコン９０Ｄは、ケースの開閉を阻止する封印手段をケースに取り付けるという作業内容を示す。ここで、封印手段とは、ケースの開閉を阻止する封印ワイヤーや封印シール等であり、これらが外れていなければケースは開閉されていないことを証明するものである。なお、記憶部４２には、新たに追加されたアイコン９０を随時記憶させることができる。
【００１９】
第１送受信部４４は、手術器具セット８０の情報および手術器具セット８０の情報に関連付けられたアイコン９０（以下、「アイコン付き手術器具セット情報」とする。）を送受信する。より詳細には、第１送受信部４４は、アイコン付き手術器具セット情報を各携帯端末２０に送信する。第１送受信部４４は、各携帯端末２０から送信される作業完了情報を受信する。また、第１送受信部４４は、情報取得装置８５（図１参照）から送信された識別手段８４の情報を受信すると、識別手段８４に関連付けられたアイコン付き手術器具セット情報を携帯端末２０に送信する。第１送受信部４４は、後述するように第１判定部５２によって作業者が同じであると判定された場合、アイコン付き手術器具セット情報を携帯端末２０に送信しない。
【００２０】
作業者情報取得部４８は、循環サイクル７０（図２参照）の各工程を実施する作業者の情報を取得する。ここで、本実施形態に係る手術器具セット管理システム１０を用いるには、所定の情報を登録したアカウントを取得する必要がある。アカウントには個人の情報等が関連付けられており、アカウントによって作業者を特定することができる。各アカウントには、ＩＤとパスワードが割り当てられる。作業者は、ＩＤとパスワードとを入力することで、当該アカウントにて手術器具セット管理システム１０にログインすることができる。作業者が手術器具セット管理システム１０にログインすると、作業者情報取得部４８は、作業者の情報（例えばアカウント名やログイン日時等）を取得する。取得された作業者の情報は、記憶部４２に記憶される。
【００２１】
変更記録部５０は、後述するように携帯端末２０の入力部２８（図４参照）を介して作業者により各アイコン９０に示された作業内容が確認されたことが入力されると、確認を入力した作業者の情報を記録する。変更記録部５０は、作業者の情報として、例えば、作業者のアカウント名や確認日時等を記録する。記録された作業者の情報は、記憶部４２に記憶される。変更記録部５０は、例えば、第１送受信部４４が第２送受信部２４から送信された作業完了情報を受信したときに、作業者の情報を記録する。
【００２２】
第１判定部５２は、現在の工程を実施する作業者と現在の工程より一つ前の工程を実施した作業者とが同じか否かを判定する。例えば、現在の工程が滅菌工程７５（図２参照）であり、一つ前の工程が組立工程７４（図２参照）の場合、第１判定部５２は、滅菌工程７５を実施しようとする作業者のアカウント情報と、組立工程７４を実施した作業者のアカウント情報とを照らし合わせることによって、作業者が同じか否かを判定する。
【００２３】
アイコン編集部５６は、手術器具セット８０に関連付けられたアイコン９０を編集する。「アイコン９０を編集する」には、アイコン９０を追加すること、および、アイコン９０を削除することが含まれる。
【００２４】
図４および図５に示すように、携帯端末２０は、表示画面２２と、第２送受信部２４と、第１表示部２６と、入力部２８と、第２表示部３０と、第２判定部３２とを備えている。図４に示すように、表示画面２２には、アイコン付き手術器具セット情報が表示される。
【００２５】
第２送受信部２４は、サーバー４０（図１参照）との間でアイコン付き手術器具セット情報を送受信する。より詳細には、第２送受信部２４は、第１送受信部４４（図３参照）から送信されるアイコン付き手術器具セット情報を受信する。第２送受信部２４は、入力部２８によって全てのアイコン９０に示された作業内容が確認されたことが入力された場合、作業完了情報をサーバー４０の第１送受信部４４に送信する。
【００２６】
第１表示部２６は、検索画面１２（図６参照）および一覧画面１８（図７参照）を表示画面２２に表示させる。図６に示すように、携帯端末２０の表示画面２２には、検索画面１２が表示される。検索画面１２には、各診療科を選択するための仮想的な各ボタン１４と、アカウントのＩＤを入力するＩＤ領域１５とパスワードを入力するパスワード領域１６とが設けられている。図７に示すように、携帯端末２０の表示画面２２には、一覧画面１８が表示される。一覧画面１８には、ある一つの工程においてその一つ前の工程での作業が完了した複数の手術器具セット８０の写真８０Ａと、該写真８０Ａを含む手術器具セット８０を選択するためのボタン１９が表示される。即ち、ある一つの工程においてその一つ前の工程での作業が完了していない場合には、その作業が完了していない手術器具セット８０の写真８０Ａ等は一覧画面１８に表示されない。ボタン１９が押されると、第１送受信部４４は、該ボタン１９が押された手術器具セット８０のアイコン付き手術器具セット情報を携帯端末２０に送信する。
【００２７】
図４に示すように、第１表示部２６は、情報表示画面２１を表示画面２２に表示させる。情報表示画面２１には、第２送受信部２４によって受信されたアイコン付き手術器具セット情報が表示される。情報表示画面２１には、手術器具セット８０の写真８０Ａが表示される第１領域２２Ａと、手術器具セット８０の基本情報が表示される第２領域２２Ｂと、メモ書き欄が表示される第３領域２２Ｃと、アイコン９０が表示される第４領域２２Ｄと、を含む。ここでは、例えば、第４領域２２Ｄに、点数確認アイコン９０Ａ、インジケータ確認アイコン９０Ｂ、名称記入アイコン９０Ｃ、および、封印手段取付アイコン９０Ｄが表示される。ここで、第４領域２２Ｄに表示されるアイコン９０は、チェックマーク９５（図８参照）の表示と非表示とを変更するときに用いるボタンである。なお、第１表示部２６は、情報表示画面２１に、全ての確認作業を完了したときに用いるボタンである完了ボタン９０Ｇを表示させる。
【００２８】
第１表示部２６は、サーバー４０の第１判定部５２によって現在の工程を実施する作業者と現在の工程の一つ前の工程を実施した作業者とが同じであると判定された場合、アイコン付き手術器具セット情報を情報表示画面２１に表示させない。より詳細には、第１判定部５２によって作業者が同じであると判定された場合、サーバー４０の第１送受信部４４は、アイコン付き手術器具セット情報を携帯端末２０に送信しないため、第１表示部２６は、アイコン付き手術器具セット情報を情報表示画面２１に表示することができない。
【００２９】
入力部２８は、アイコン９０に示された各作業内容が確認されたことが作業者によって入力される。本実施形態では、入力部２８は、表示画面２２の表面に配置されたタッチパネルである。なお、入力部２８は、マウス等であってもよい。本実施形態では、入力部２８を介することで作業者は表示画面２２（即ち、検索画面１２、一覧画面１８および情報表示画面２１。）に表示された各種ボタンを操作することができる。入力部２８は、後述するように第２判定部３２によって全てのアイコン９０について確認されたことが入力されていると判定された場合、全ての作業内容を完了したことを作業者によって入力可能となるように構成されている。即ち、図９に示すように、全てのアイコン９０について確認されたことが入力されると（即ち全てのアイコン９０にチェックマーク９５が表示されると）、作業者は入力部２８を介して完了ボタン９０Ｇを操作して、確認作業を完了することができる。
【００３０】
第２表示部３０は、アイコン９０について入力部２８によって入力された内容を情報表示画面２１に表示させる。即ち、図８に示すように、第２表示部３０は、チェックマーク９５をアイコン９０上に表示させる。即ち、入力部２８を介してアイコン９０が操作されると、第２表示部３０は、チェックマーク９５をアイコン９０上に表示し、チェックマーク９５がアイコン９０上に表示された状態でアイコン９０が操作されると、チェックマーク９５を有さないアイコン９０を表示する。また、図１０に示すように、第２表示部３０は、全てのアイコン９０について確認作業が完了していないことを作業者に通知する。例えば、全てのアイコン９０についてチェックマーク９５がアイコン９０上に表示されていないときに（図８参照）、作業者が完了ボタン９０Ｇを操作すると、第２表示部３０は、図１０に示すように、情報表示画面２１に警告画面９６を表示する。第１表示部２６および第２表示部３０は、ＣＰＵ（中央演算処理装置）と、ＣＰＵが実行するプログラム等が格納されたＲＯＭ（リードオンリメモリ）およびＲＡＭ（ランダムアクセスメモリ）等により実現可能である。
【００３１】
第２判定部３２は、手術器具セット８０に関連付けられたアイコン９０の全てについて、入力部２８によって確認されたことが入力されているか否かを判定する。第２判定部３２は、例えば、情報表示画面２１に表示されたアイコン９０の全てについて、チェックマーク９５がアイコン９０上に表示されているか否かによって判定する。このとき、例えば、入力部２８を介してアイコン９０が操作されると、第２判定部３２に対して、チェックマーク９５がアイコン９０上に表示されていることを示す信号を送信するとよい。
【００３２】
次に、作業者が手術器具セット管理システム１０を用いて、手術器具セット８０に関連付けられた作業内容を確認する手順について説明する。ここでは、循環サイクル７０の滅菌工程７５における場合を例にして、手術器具セット８０に関連付けられた作業内容の確認を説明する。図６に示すように、携帯端末２０の表示画面２２には、検索画面１２が表示されている。まず、作業者は、ＩＤ領域１５にアカウントのＩＤを入力し、パスワード領域１６にパスワードを入力する。これにより、作業者は、手術器具セット管理システム１０にログインすることができる。次いで、作業者は、入力部２８を操作して、検索画面１２の外科を選択するためのボタン１４を押す。これにより、図７に示すように、表示画面２２には、一覧画面１８が表示される。なお、組立工程７４の作業者と滅菌工程７５の作業者とが同じであると判定されると、組立工程７４において同一の作業者によって作業された手術器具セット８０の情報は、一覧画面１８には表示されない。即ち、一覧画面１８には、現在の工程（ここでは滅菌工程７５）の作業者と異なる作業者が一つ前の工程（ここでは組立工程７４）で作業した手術器具セット８０のみが表示される。作業者は、入力部２８を操作して、確認したい手術器具セット８０のボタン１９を押す。これにより、サーバー４０の第１送受信部４４からアイコン付き手術器具セット情報が携帯端末２０に送信され、図４に示すように、表示画面２２には、手術器具セット８０の各情報、および、手術器具セット８０に関連付けられた各アイコン９０Ａ〜９０Ｄが表示された情報表示画面２１が表示される。このように、滅菌工程７５における確認作業がアイコン９０Ａ〜９０Ｄによって表示されているため、作業者は滅菌工程７５において何を確認すればよいのか瞬時に理解することができる。作業者は、各アイコン９０Ａ〜９０Ｄに対応する作業内容を確認すると、入力部２８を操作して、各アイコン９０Ａ〜９０Ｄを押す。そして、各アイコン９０Ａ〜９０Ｄ上にチェックマーク９５が表示された状態で、完了ボタン９０Ｇを押す。これにより、第２送受信部４４は、作業完了情報をサーバー４０の第１送受信部４４に送信する。そして、手術器具セット８０の情報が更新され、次の保管工程７６に進むことができる。
【００３３】
以上のように、本実施形態の手術器具セット管理システム１０によると、循環サイクル７０の各工程における作業内容をアイコン化し、アイコン９０が表示画面２２に表示されるため、初心者にも作業内容が容易に理解できる。また、アイコン化された作業内容が各手術器具セット８０に予め関連付けられているため、各工程における作業内容が作業者によってばらつくことが防止される。さらに、作業内容が確認されたことが表示画面２２に表示されるため、作業内容のチェック漏れを低減することができると共に、他の作業者も進捗状況を確認できる。また、サーバー４０の第１判定部５２によって現在の工程を実施する作業者と現在の工程より一つ前の工程を実施した作業者とが同じであると判定された場合、携帯端末２０の第１表示部２６は手術器具セット８０の情報および手術器具セット８０の情報に関連付けられたアイコン９０を表示画面２２に表示させない。このため、現在の工程を実施する作業者と現在の工程より一つ前の工程を実施した作業者とを異ならせる必要が生じ、異なる作業者によるダブルチェックが実現できる。この結果、確認作業の質の向上が図られる。
【００３４】
本実施形態では、図９に示すように、全てのアイコン９０について確認されたことが入力されていると第２判定部３２によって判定された場合、入力部２８は、全ての作業内容を完了したことを作業者によって入力可能となるように構成されている。このように、手術器具セット８０の情報に関連付けられたアイコン９０のうち一つでも確認されたことが入力されていないと、作業者は入力部２８を介して全ての作業内容が完了したことを入力することができない。これにより、作業内容の確認漏れを防止することができる。
【００３５】
本実施形態では、図４に示すように、第１表示部２６は、情報取得装置８５によって識別手段８４の情報が取得されると、手術器具セット８０の情報および手術器具セットの情報に関連付けられたアイコン９０を表示画面２２に表示させる。このように、手術器具セット８０のいずれか一つの手術器具８２の識別手段の情報を取得するだけで、手術器具セット８０に関連付けられたアイコン９０が表示画面２２に表示されるため、作業効率が向上する。
【００３６】
本実施形態では、図３に示すように、手術器具セット管理システム１０は、手術器具セット８０に関連付けられたアイコン９０を編集するアイコン編集部５６をさらに備えている。これにより、手術器具セット８０に対する各工程での作業内容に変更があった場合でも、アイコン９０を編集（例えば、アイコンの追加やアイコンの削除）することで、変更後の作業内容の確認や作業内容のチェック漏れを防止することができる。
【００３７】
本実施形態では、図４に示すように、入力部２８は、表示画面２２に配置されたタッチパネルである。これにより、作業者は表示画面２２に直接触れて作業内容が確認されたことを容易に入力することができる。
【００３８】
上述した実施形態の手術器具セット８０の情報には、点数確認アイコン９０Ａと、インジケータ確認アイコン９０Ｂと、名称記入アイコン９０Ｃと、封印手段取付アイコン９０Ｄとが関連付けられていたが、アイコン９０の数および種類はこれに限定されない。例えば、図１１に示すように、アイコン編集部５６によって、手術器具セット８０の情報から名称記入アイコン９０Ｃの関連付けを削除することができる。また、例えば、図１２に示すように、アイコン編集部５６によって、手術器具セット８０の情報に袋詰め確認アイコン９０Ｅを新たに関連付けることができる。ここで、袋詰め確認アイコン９０Ｅは、手術器具８２が袋９３に袋詰めされていることを確認するという作業内容を示す。
【００３９】
上述した実施形態では、手術器具セット管理システム１０は、サーバー４０と携帯端末２０とを備えていたが、これに限定されない。例えば、携帯端末２０が、サーバー４０の備える記憶部４２等を備えていれば、携帯端末２０単独でも手術器具セット８０を管理することができる。
【符号の説明】
【００４０】
１０  手術器具セット管理システム
２０  携帯端末
２２  表示画面
２６  第１表示部
２８  入力部
３０  第２表示部
３２  第２判定部
４２  記憶部
４８  作業者情報取得部
５２  第１判定部
８０  手術器具セット
８２  手術器具
９０  アイコン
【図１】
0006697896.tif 000002
【図２】
0006697896.tif 000003
【図３】
0006697896.tif 000004
【図４】
0006697896.tif 000005
【図５】
0006697896.tif 000006
【図６】
0006697896.tif 000007
【図７】
0006697896.tif 000008
【図８】
0006697896.tif 000009
【図９】
0006697896.tif 000010
【図１０】
0006697896.tif 000011
【図１１】
0006697896.tif 000012
【図１２】
0006697896.tif 000013